【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
エイリアン・クロストークを最小にするためのケーブル・システムであって、
１本のケーブルを形成するための複数の撚線対を備え、
前記ケーブルの前記撚線対の各々が、他の前記撚線対の撚り長さと異なる撚り長さであって初期の予め定められた撚り長さを有しており、
前記ケーブルは、所定の最小境界線と所定の最大境界線との間で変化するような種々の撚り長さでもって撚り合わされており、前記所定の最小境界線および前記所定の最大境界線は、前記ケーブル・システムのケーブル間のエイリアン・クロストークの効果を低減させるように、意図的に予め設定されていることを特徴とする、エイリアン・クロストークを最小にするためのケーブル・システム。
【請求項２】
ジャケットが前記撚線対に嵌め合わされ、かつ、互いに関連した所定の位置に前記撚線対を固定するようになっている請求項１に記載のケーブル・システム。
【請求項３】
ジャケットが前記撚線対に適用され、ここに、前記ジャケットの撚りが、前記撚線対を互いに関連させて螺旋状に撚り合わせることを可能にする請求項１に記載のケーブル・システム。
【請求項４】
フィラーが前記撚線対に沿って位置付けされている請求項１に記載のケーブル・システム。
【請求項５】
前記フィラーの撚りが、前記撚線対を互いに関連させて螺旋状に撚り合わせることを可能にする請求項４に記載のケーブル・システム。
【請求項６】
前記ケーブルが撚り合わされた後に、前記撚線対の各々の撚り長さが、前記ケーブルの予め定められた長さに沿って連続的に増大するかまたは連続的に減少するかのいずれか１つである請求項１に記載のケーブル・システム。
【請求項７】
エイリアン・クロストークを最小にするためのケーブル・システムであって、
予め定められた撚り長さに沿って互いに関連して螺旋状に撚られた複数の撚線対を備え、
前記撚線対の各々の撚り長さが、前記予め定められた長さに沿って連続的に増大するかまたは連続的に減少するかのいずれか１つであり、前記撚線対の各々の撚り長さは、所定の最小境界線と所定の最大境界線との間で連続的に変化し、前記所定の最小境界線および前記所定の最大境界線は、前記ケーブル・システムにおけるクロストークの発生を減少させるように、意図的に予め設定されており、
前記複数の撚線対のうちで少なくとも１つの撚線対が、他の前記撚線対の撚り長さと異なる撚り長さであって予め定められた平均の撚り長さを有していることを特徴とする、エイリアン・クロストークを最小にするためのケーブル・システム。
【請求項８】
前記撚線対の各々の前記撚り長さが、前記予め定められた長さに沿った各点でほぼ同じ変化率で変化している請求項７に記載のケーブル・システム。
【請求項９】
前記撚線対が１本のケーブルを形成し、前記変化率が、前記ケーブルの螺旋状の撚りによって付与されるねじれ撚りの量である請求項８に記載のケーブル・システム。
【請求項１０】
前記撚線対に沿って配置されたフィラーをさらに備えており、前記フィラーは、前記予め定められた長さに沿って螺旋状に撚られており、前記フィラーのフィラー撚り長さが、前記予め定められた長さに沿って連続的に増大するかまたは連続的に減少するかのいずれか１つである請求項７に記載のケーブル・システム。
【請求項１１】
前記予め定められた長さが、送信されるべき信号の少なくとも１つの基本波長である請求項７に記載のケーブル・システム。
【請求項１２】
前記撚線対が、全体的に、互いに関連した所定の位置に固定されている請求項７に記載のケーブル・システム。
【請求項１３】
ジャケットが前記撚線対に嵌め合わされ、かつ、互いに関連した所定の位置に前記撚線対を固定するようになっている請求項７に記載のケーブル・システム。
【請求項１４】
空気が、前記予め定められた長さに亘る前記ジャケット内の容積の１０％未満を示すようになっている請求項１３に記載のケーブル・システム。
【請求項１５】
ジャケットが前記撚線対に適用され、ここに、前記ジャケットの撚りが、前記撚線対を互いに関連させて螺旋状に撚り合わせることを可能にする請求項７に記載のケーブル・システム。
【請求項１６】
前記撚線対の予め定められた長さが２つのサブセクションに分離され、さらに、前記サブセクションが互いに近接して配置されたときに、前記２つのサブセクションの任意の近接点で各々の前記サブセクションの最も接近している撚線対が異なる撚り長さを有するようになっている請求項７に記載のケーブル・システム。
【請求項１７】
エイリアン・クロストークを最小にするためのケーブル・システムであって、
各撚線対が異なる撚り長さを有する複数の撚線対と、
前記撚線対に適用されるジャケットとを備え、
前記ジャケットの撚りが、前記撚線対を互いに関連させて螺旋状に撚り合わせることを可能にすることを特徴とする、エイリアン・クロストークを最小にするためのケーブル・システム。
【請求項１８】
前記撚線対の各々の前記撚り長さが、前記撚線対の予め定められた長さに沿った各点でほぼ同じ変化率で変化している請求項１７に記載のケーブル・システム。
【請求項１９】
前記変化率が、前記ジャケットの前記撚りによって付与されるねじれ撚りの量である請求項１８に記載のケーブル・システム。
【請求項２０】
前記撚線対の各々の前記撚り長さが、予め定められた長さに沿って連続的に増大するかまたは連続的に減少するかのいずれか１つである請求項１８に記載のケーブル・システム。
【請求項２１】
前記撚線対に沿って配置され、かつ、前記撚線対に沿って螺旋状に撚られるフィラーをさらに備える請求項１７に記載のケーブル・システム。
【請求項２２】
前記撚線対への前記ジャケットの適用が、全体的に前記撚線対を所定の位置に固定する請求項１７に記載のケーブル・システム。
【請求項２３】
前記撚線対への前記ジャケットの適用が、前記撚線対に近接する空気量を最小にする請求項１７に記載のケーブル・システム。
【請求項２４】
前記撚線対の予め定められた長さが２つのサブセクションに分離され、さらに、前記サブセクションが互いに近接して配置されたときに、前記２つのサブセクションの近接点で各々の前記サブセクションの最も接近している撚線対が異なる撚り長さを有する請求項１７に記載のケーブル・システム。
【請求項２５】
エイリアン・クロストークを最小にするためのケーブル・システムであって、
撚線対と、
半径方向に伸びる脚部と、少なくとも１つの前記脚部への延長部とを含むベース部分とを有するフィラーとを備え、
前記撚線対は、前記ベース部分の近傍に配置され、前記延長部は、前記撚線対の直径の少なくともほぼ１／４だけ前記ベース部分から離れて伸びており、
前記撚線対および前記フィラーが、１本のケーブルを形成し、
前記ケーブルは、所定の最小境界線と所定の最大境界線との間で変化するような種々の撚り長さでもって撚り合わされており、前記所定の最小境界線および前記所定の最大境界線は、前記ケーブル・システムのケーブル間のエイリアン・クロストークの効果を低減させるように、意図的に予め設定されていることを特徴とする、エイリアン・クロストークを最小にするためのケーブル・システム。
【請求項２６】
前記ベース部分が、前記撚線対の直径にほぼ等しい半径方向に伸びる長さを含む請求項２５に記載のケーブル・システム。
【請求項２７】
前記フィラーが螺旋状に撚られており、前記フィラーの螺旋状の撚りによって、前記撚線対に対してねじれ撚り率が付与されるようになっている請求項２５に記載のケーブル・システム。
【請求項２８】
前記フィラーが螺旋状に撚られ、これによって、前記撚線対の撚り長さが、予め定められた長さに沿って連続的に増大するかまたは連続的に減少するかのいずれか１つである１つである請求項２５に記載のケーブル・システム。
【請求項２９】
エイリアン・クロストークを最小にするためのケーブル・システムであって、
半径方向に伸びる脚部を有するベース部分を含むフィラーを備え、
前記脚部の各々が、前記フィラーの近傍に選択的に配置された撚線対の少なくとも直径にほぼ等しい長さを有しており、
前記ケーブル・システムは、さらに、
予め定められた範囲で前記脚部から半径方向かつ外方に伸びる少なくとも１つの前記脚部への延長部と、
直径のほぼ１／２として規定される前記脚部の基準点とを備え、
前記フィラーが螺旋状に撚られ、これによって、近接して配置された前記撚線対の撚り長さが、予め定められた長さに亘って連続的に増大するかまたは連続的に減少するかのいずれか１つであり、近接して配置された前記撚線対の撚り長さは、所定の最小境界線と所定の最大境界線との間の範囲に入っており、前記所定の最小境界線および前記所定の最大境界線は、前記ケーブル・システムにおけるクロストークの発生を減少させるように、意図的に予め設定されていることを特徴とする、エイリアン・クロストークを最小にするためのケーブル・システム。
【請求項３０】
前記フィラーの螺旋状の撚りが、近接して配置された前記撚線対に対してねじれ撚り率を付与し、近接して配置された前記撚線対の撚り長さが、前記ねじれ撚り率によって変更される請求項２９に記載のケーブル・システム。
【請求項３１】
前記フィラーの螺旋状の撚りが、ケーブルのネスティングを阻止している請求項２９に記載のケーブル・システム。
【請求項３２】
前記ケーブル・システムが、さらに、接点を有する互いに近接して配置された２つのケーブルを備え、前記フィラーの螺旋状の撚りが、前記２つのケーブル間に前記ケーブルの少なくとも１つの直径の少なくとも０．１倍の空隙をもたらす請求項３１に記載のケーブル・システム。
【請求項３３】
前記ジャケット内の空気量が最小になるように、前記延長部が、前記フィラーを覆うジャケットに向かって延長されている請求項２９に記載のケーブル・システム。
【請求項３４】
前記ジャケットと前記フィラーとが、全体的に、近接して配置された撚線対を所定の位置に固定する請求項３３に記載のケーブル・システム。
【請求項３５】
エイリアン・クロストークを最小にするためのケーブル・システムであって、
各々の撚線対が、初期の予め定められた撚り長さを有する複数の撚線対と、
前記撚線対に沿って配置されるフィラーとを備え、
前記フィラーは、半径方向に伸びるベース部分を含み、前記脚部の各々が、前記フィラーの近傍に選択的に配置された撚線対の少なくとも直径にほぼ等しい長さを有しており、
前記ケーブル・システムは、さらに、
予め定められた範囲で前記脚部から半径方向かつ外方に伸びる少なくとも１つの前記脚部への延長部と、
直径のほぼ１／２として規定される前記脚部の基準点とを備え、
前記撚線対が、予め定められた長さに亘って連続的に増大するかまたは連続的に減少するかのいずれか１つで撚り長さ全体で互いに関連して螺旋状に撚られ、これによって、前記撚線対の前記予め定められた長さが２つのサブセクションに分離され、前記２つのサブセクションが互いに近接して配置されたときに、前記２つのサブセクションの任意の近接点で各々の前記サブセクションの最も接近している撚線対が異なる撚り長さを有するようになっており、
前記撚線対の各々の撚り長さが、所定の最小境界線と所定の最大境界線との間で連続的に変化し、前記所定の最小境界線および前記所定の最大境界線は、前記ケーブル・システムにおけるクロストークの発生を減少させるように、意図的に予め設定されていることを特徴とする、エイリアン・クロストークを最小にするためのケーブル・システム。
【請求項３６】
ジャケットが前記撚線対に適用され、ここに、前記ジャケットの撚りが、前記撚線対を互いに関連させて螺旋状に撚り合わせることを可能にする請求項３５に記載のケーブル・システム。
【請求項３７】
前記予め定められた範囲が、前記撚線対の１つの直径の少なくとも１／４である請求項３５に記載のケーブル・システム。
【手続補正２】
【補正対象書類名】明細書
【補正対象項目名】発明の名称
【補正方法】変更
【補正の内容】
【発明の名称】エイリアン・クロストークを最小にするためのケーブル・システム